(57)【要約】    【課題】バネの反発力を高めたクリップを提供する。    【解決手段】対向する挟持部材（２１，２２）と、前記挟持部材同士の連結軸部（３５）と、前記挟持部材及び連結軸部に沿って設けられるＵ字型又はＶ字型のバネ（４）と、前記バネの脱落防止手段とからなるクリップである。バネの反発力を高めるため、前記バネ（４）の末端の少なくとも１つに外側に向かう小突起（４２）を設ける。または、Ｕ字又はＶ字の湾曲部付近の内側に切り欠き（４４）を設ける。【選択図】図１
2005238549.tif 000002
【特許請求の範囲】
【請求項１】
対向する挟持部材（２１，２２）と、前記挟持部材同士の連結軸部（３５）と、前記挟持部材及び連結軸部に沿って設けられるＵ字型又はＶ字型のバネ（４）と、前記バネの脱落防止手段とからなるクリップにおいて、
前記バネ（４）の末端の少なくとも１つに外側に向かう小突起（４２）を設けたことを特徴とするクリップ。
【請求項２】
対向する挟持部材（２１，２２）と、前記挟持部材同士の連結軸部（３５）と、前記挟持部材及び連結軸部に沿って設けられるＵ字型又はＶ字型のバネ（４）と、前記バネの脱落防止手段とからなるクリップにおいて、
Ｕ字又はＶ字の湾曲部付近の内側に切り欠き（４４）を設けて湾曲角度（α）を増大させたことを特徴とするクリップ。
【請求項３】
前記バネの脱落防止手段が挟持部材の対向面に設けられた、前記バネの直線部分の全部又は一部を収容する浅い溝（２３，２４）である請求項１又は２記載のクリップ。
【請求項４】
前記バネの脱落防止手段が挟持部材の対向面に内側に向かう小突起（２５）である請求項１ないし３のいずれかに記載のクリップ。
【請求項５】
前記切り欠きは断面が円弧状のものである請求項２記載のクリップ。
【発明の詳細な説明】
【技術分野】
【０００１】
本発明は、２枚の挟持部材の間に物を挟むクリップに関する。特に、バネとしてＵ字型又はＶ字型の一体成形物を使用したクリップに関する。このクリップは、事務用の紙押さえ具、洗濯物の固定具、ストラップ末端部の係合具等として幅広く使用することができる。
【背景技術】
【０００２】
バネとしてＵ字型又はＶ字型の一体成形物を使用したクリップとしては、例えば下記特許文献１に記載したような発明が知られている。この特許文献１のバネは、「弾性変形可能なポリエチレンやウレタン等の合成樹脂材又はゴム材料によって形成されており、やや肉厚の帯板を側面視『く』の字状に折曲」してなる。
【特許文献１】特開２００３−７４５２２公報
【発明の開示】
【発明が解決しようとする課題】
【０００３】
従来のクリップにおいて使用するバネは、添付の図６に示すように、側面から見てＵ字又はＶ字に折曲したやや肉厚の帯板である。自然状態では（ａ）の状態であるが、２枚の挟持部材Ｂ，Ｂを指で握ることにより、（ｂ）の開放状態になる。力学でよく知られているように、加える力と生じる力は、支点から作用線までの距離に反比例する。この従来技術の構造では支点Ｃ、力点Ｄ、重点Ｅの関係は図６（ｃ）の通りであり、支点Ｃと力点Ｄの距離が比較的に短い。そのため、バネの反発力が弱い。また、Ｕ字又はＶ字の湾曲部付近で折れやすいという欠点もある。
【０００４】
本発明は、支点と力点の距離を長くすることにより、バネの反発力を高め、開口部の締め付け力を増大させたクリップを提供することを目的とする。
【０００５】
また、本発明の第２の目的は、Ｕ字又はＶ字の湾曲部に切り欠きを設けることにより湾曲角度を大きくして、バネの反発力を高め、開口部の締め付け力を増大させたクリップを提供することである。
【課題を解決するための手段】
【０００６】
請求項１の発明は、対向する挟持部材と、前記挟持部材同士の連結軸部と、前記挟持部材及び連結軸部に沿って設けられるＵ字型又はＶ字型のバネと、前記バネの脱落防止手段とからなるクリップにおいて、前記バネの末端の少なくとも１つに外側に向かう小突起を設けたことを特徴とする。
【０００７】
請求項２の発明は、対向する挟持部材と、前記挟持部材同士の連結軸部と、前記挟持部材及び連結軸部に沿って設けられるＵ字型又はＶ字型のバネと、前記バネの脱落防止手段とからなるクリップにおいて、Ｕ字又はＶ字の湾曲部付近の内側に切り欠きを設け湾曲角度を増大させたことを特徴とする。
【発明の効果】
【０００８】
請求項１の発明によれば、前記バネの末端の少なくとも１つに設けた外側に向かう小突起が力点となる。そのため、力点と重点がきわめて接近又は同じ位置となると共に支点からは最も遠くなる。従って、本発明のクリップはバネの反発力が増大するので、開口部の締め付け力が増大する（詳細は［００２１］参照）。
【０００９】
請求項２の発明によれば、Ｕ字又はＶ字の湾曲部付近の内側に切り欠きを設けている。この切り欠きにより、湾曲角度が従来技術の湾曲角度よりも増大する。それにも拘わらず、挟持部材端部同士の距離は従来技術のときと変わらないので、バネの反発力が向上する（詳細は［００２２］参照。なお、［００２２］では実施例１と比較しているが、実施例１も湾曲角度に関しては従来技術と同じである。）。
【発明を実施するための最良の形態】
【００１０】
対向する挟持部材は、細長い板状のものであることが多く、合成樹脂又は金属で製作することができる。次記する連結軸部を支持するために両側面にやや張り出した支持板を設けることが好ましい。
【００１１】
前記挟持部材同士の連結軸部は、前記支持板により支持される凹凸部又は連結ピンであることが普通である。この連結軸部を支点として挟持部材は回動することができる。
【００１２】
Ｕ字型又はＶ字型のバネは、弾性変形可能なポリカーボネートやポリアセタール等の合成樹脂材又はゴム材料によって形成するのが好ましいが、金属でもよい。挟持部材とバネの双方を合成樹脂で形成すると、廃棄やリサイクルのとき処理しやすいので特に好ましい。Ｕ字型又はＶ字型のバネは、やや肉厚の帯板を「く」の字状に折曲して用いる。本発明の特徴部分である小突起は、両末端のうち少なくとも一方に設ける。好ましくは両末端の双方に設ける。
【００１３】
この小突起は、バネ末端に設けた外方向に突出する板状片であるのが好ましいが、そのほか、バネ末端を外方向に湾曲させて形成させてもよい。
【００１４】
バネの脱落防止手段は、例えば、挟持部材の対向面に設けた浅い溝とすることができる。この溝の中に前記バネの直線部分の全部又は一部を収容することができる。バネ脱落防止手段は、別の実施態様では、挟持部材の対向面に設けた内側に向かう小突起とすることができる。この小突起に遮られてバネの末端及び湾曲部は脱落することがない。これらの溝と小突起を両方とも設けてもよい。
【実施例１】
【００１５】
以下、添付の図面に基づき、本発明の実施例のクリップを説明する。
【００１６】
図１は実施例１の分解斜視図、図２は組立図である。図１に示すように、このクリップ１は２枚の挟持部材２１，２２を有する。全体は合成樹脂からなる板状部材であるが、中心部において、内側方向に支持板３１，３１；３２，３２が張り出している。一方支持板３１，３１には貫通孔３３，３３が、他方の支持部材３２，３２には突起３４，３４が設けられていて、これら突起３４と貫通孔３３が互いにはまり合って連結軸３５（図２参照）を形成する。この連結軸部３５を支点として２枚の挟持部材２１，２２は回動することができる。
【００１７】
挟持部材２１，２２の対向面及び連結軸３５に沿ってＵ字型又はＶ字型のバネ４が設けられている。このバネは、弾性変形可能なポリカーボネートやポリアセタール等の合成樹脂材又はゴム材料によって形成されており、やや肉厚の帯板４１を「く」の字状に折曲している。本発明の特徴部分である小突起４２が、バネの両末端の双方に外側に向かって設けられている。
【００１８】
バネ４の脱落を防止するために、挟持部材の対向面にはバネが一部はまり合う浅い溝２３，２４が設けられていると共に、Ｕ字又はＶ字の湾曲部付近にはストッパー２５が設けられている。
【００１９】
挟持部材２１，２２には、自然状態で押さえ部分となる開閉部末端があり、この実施例では、内側に向かう爪２６，２７が形成されていて、かみ合いを確かなものとしている。
【００２０】
このクリップの使用法は従来品と同様である。すなわち、自然状態で図３（ａ）の状態であるが、挟持部材２１，２２を指で押さえることにより、（ｂ）の開放状態となる。指を離せばバネ４の力により再び（ａ）の自然状態となる。
【００２１】
挟持部材２１，２２を指で押さえるとき、力が加わるのは、バネの小突起４２である。図３（ｃ）に示すように、力を加える点（力点）Ｇと、力の生じる点（重点）Ｈがきわめて接近していると共に支点Ｆからは最も遠くなる。このことは、バネの反発力を増大させるので、それに伴って開口部の締め付け力を増大させる。
【実施例２】
【００２２】
図４（ａ）（ｂ）は本発明の実施例２を示す。実施例１と異なるのはバネの部分のみであるので、この相違部分を図示している。図４（ａ）に示すように、バネ４ａのＵ字又はＶ字の湾曲部４３付近の内側に、断面が円弧状の切り欠き４４が設けられている。この切り欠き４４により、図４（ｂ）に示すように、湾曲角度αが第１実施例のときのβ（図４（ｃ）参照）よりも増大する。それにも拘わらず、挟持部材端部同士の距離Ｌは第１実施例のときと変わらないので、バネの反発力が向上する。
【００２３】
なお、図示の例では、実施例１と同様に小突起４２ａが設けられているが、実施例２ではこの部分は必ずしも必要ではない。しかし、両方設けることによりバネの反発力はより強くなる。
【実施例３】
【００２４】
図５は実施例３を示す。実施例１と異なるのは部分のみであるので、この相違部分を図示している。この図に示すように、小突起４２ｂはバネ末端を外側に湾曲させて形成している。効果及び作用は前記第１実施例と同様である。
【図面の簡単な説明】
【００２５】
【図１】本発明実施例１のクリップの分解斜視図である。
【図２】本発明実施例１のクリップの組立図である。
【図３】本発明実施例１において、（ａ）は自然状態の断面図、（ｂ）は閉鎖状態の断面図、（ｃ）は力の作用を示す概略図である。
【図４】（ａ）は実施例２のバネを示す斜視図、（ｂ）は同側面図である。（ｃ）は第１実施例の側面図である。
【図５】実施例３のバネを示す斜視図である。
【図６】従来技術の発明において、（ａ）は自然状態の断面図、（ｂ）は閉鎖状態の断面図、（ｃ）は力の作用を示す概略図である。
【符号の説明】
【００２６】
１     クリップ
４     バネ
４ａ   バネ
２１，２２    挟持部材
２３，２４    溝
２５          ストッパー
３１          支持板
３２          支持板
３３          貫通孔
３４          突起
３５          連結軸部
４２，４２ａ，４２ｂ        小突起
【図１】
2005238549.tif 000003
【図２】
2005238549.tif 000004
【図３】
2005238549.tif 000005
【図４】
2005238549.tif 000006
【図５】
2005238549.tif 000007
【図６】
2005238549.tif 000008